(57)【要約】【課題】シャーシに対して前面カバーを取り付ける際の組立性を向上させることが可能な電子機器を提供する。【解決手段】このディスクプレーヤ１００（電子機器）は、突起部１ｇを有する金属製のシャーシ１と、突起部１ｇと係合する係合穴部２ｆ（突出片２ｄ）を有するフロントカバー２とを含む筐体１０を備える。そして、突起部１ｇに対して係合穴部２ｆが係合することにより、シャーシ１にフロントカバー２が取り付けられる。また、シャーシ１は、突出片２ｄに対応する位置の突起部１ｇの近傍領域に設けられ、突起部１ｇに対して係合穴部２ｆが係合される側の外表面１ｆから内表面１ｅに向かって窪むとともにフロントカバー２がシャーシ１に装着されるＸ方向と略直交するＹ方向（シャーシ１の長手方向）に沿って延びる絞り部１ｉをさらに有する。【選択図】図４
2011155113.tif 000002
【特許請求の範囲】
【請求項１】
第１係合部を有する金属製のシャーシと、前記第１係合部と係合する第２係合部を有する前側カバー部材とを含む筐体を備え、
前記第１係合部に対して前記第２係合部が係合することにより、前記シャーシに前記前側カバー部材が取り付けられるように構成されており、
前記シャーシは、前記第２係合部に対応する位置に設けられ、前記第１係合部に対して前記第２係合部が係合される側の一方表面から前記一方表面とは反対側の他方表面に向かって窪むとともに前記前側カバー部材が前記シャーシに取り付けられる第１方向と略直交する第２方向に沿って延びる第１絞り部をさらに有する、電子機器。
【請求項２】
前記前側カバー部材の前記第２係合部は、前記前側カバー部材の前記シャーシに対する装着方向に突出する突出部と、前記突出部に設けられ、前記第１係合部と係合する係合部分とを含み、
前記シャーシに前記前側カバー部材が取り付けられた状態において、前記第１絞り部が前記突出部に対応する位置に形成されていることにより、前記突出部と前記シャーシの一方表面との間に空間が形成されるように構成されている、請求項１に記載の電子機器。
【請求項３】
前記シャーシに前記前側カバー部材が取り付けられた状態から前記前側カバー部材を取り外す際、前記前側カバー部材の突出部が前記シャーシの一方表面から離れる方向に弾性変形することにより、前記第１係合部と前記第２係合部の係合部分との係合状態が解除されるように構成されており、
前記第１絞り部が前記突出部の前記前側カバー部材に繋がる根元部とは反対側の先端部に対応する位置に形成されることにより、前記突出部と前記シャーシの一方表面との間に前記空間が形成されるように構成されている、請求項２に記載の電子機器。
【請求項４】
前記突出部の先端部が前記シャーシの一方表面から離れる方向に傾斜して形成されることにより、前記突出部の先端部と前記シャーシの一方表面の前記第１絞り部との間に前記空間が形成されるように構成されている、請求項３に記載の電子機器。
【請求項５】
前記シャーシに前記前側カバー部材が取り付けられた状態において、前記前側カバー部材は、平面的に見て、前記突出部の先端部が前記シャーシの前記第１絞り部に重なる位置に配置された状態で取り付けられている、請求項３または４に記載の電子機器。
【請求項６】
前記第２係合部は、前記第２方向に沿って前記前側カバー部材に複数設けられるとともに、前記第１係合部は、複数の前記第２係合部の各々に対応して設けられており、
前記第１絞り部は、複数の前記第２係合部に対応する位置を通るように前記第２方向に沿って延びるように形成されている、請求項１〜５のいずれか１項に記載の電子機器。
【請求項７】
複数の前記第１係合部は、前記シャーシの前記第２方向に沿った一方側の端部領域に形成された一方側係合部と、前記シャーシの前記第２方向に沿った他方側の端部領域に形成された他方側係合部とを含み、
前記第１絞り部は、前記一方側係合部の近傍領域から、前記他方側係合部の近傍領域までの区間にわたって、前記第２方向に沿って直線状に延びるように形成されている、請求項６に記載の電子機器。
【請求項８】
前記シャーシは板金製であり、前記第１絞り部は、プレス絞り加工により形成されている、請求項１〜７のいずれか１項に記載の電子機器。
【請求項９】
前記第１絞り部は、前記第１方向に沿った前記前側カバー部材が前記シャーシに取り付けられる側の前記シャーシの一方端部側に前記第２方向に延びるように形成されており、
前記シャーシは、前記第１方向に沿った前記シャーシの一方端部とは反対側の他方端部側に形成され、前記第１絞り部の延びる前記第２方向に沿って延びる凹状の第２絞り部をさらに有する、請求項１〜８のいずれか１項に記載の電子機器。
【請求項１０】
前記第１絞り部は、凹状に形成されるとともに、前記凹状の第２絞り部は、前記シャーシの前記一方表面から前記他方表面に向かって窪むように形成されており、
前記第１絞り部の前記第１方向の幅は、前記第２絞り部の前記第１方向の幅よりも小さい、請求項９に記載の電子機器。
【発明の詳細な説明】
【技術分野】
【０００１】
この発明は、電子機器に関し、特に、シャーシを含む筐体を備えた電子機器に関する。
【背景技術】
【０００２】
従来、シャーシを含む筐体を備えた電子機器などが知られている（たとえば、特許文献１〜４参照）。
【０００３】
上記特許文献１には、折り曲げ加工が施された板金フレーム（シャーシ）に、前面カバーおよびフレームカバーが取り付けられて構成される筐体を備えたディスクプレーヤ（電子機器）が開示されている。このディスクプレーヤでは、板金フレームの底部（底面）に絞り加工による凹部が形成されることにより、板金フレームの剛性が高められるように構成されている。なお、前面カバーは、板金フレームの前面側に取り付けられるように構成されている。
【０００４】
また、上記特許文献２には、板金製のシャーシと、シャーシ内に固定され、記録媒体を収納するホルダーと、記録媒体に対する信号の読み出しまたは書き込みを行う変換器と、シャーシを背面側から固定するカバー部材とを備えた記録／再生装置（電子機器）が開示されている。この記録／再生装置では、シャーシにプレス加工（ハーフパンチ）による凸部（リブ）が形成されることにより、シャーシの強度が向上されるように構成されている。
【０００５】
また、上記特許文献３には、金属製の薄板状のフレームシャーシと、フレームシャーシに貼り付けられた表示パネルと、フレームシャーシおよび表示パネルを前後から挟み込んで保持する一対の枠体とを備えた映像表示装置（電子機器）が開示されている。この映像表示装置では、フレームシャーシに筋状の絞り（凹部）が複数形成されることにより、枠体内部に保持されるフレームシャーシの剛性が高められるように構成されている。
【０００６】
また、上記特許文献４には、金属板からなる矩形状の底板と、金属パイプからなる支柱と、側板と、天板とを備えた電気機器の筐体フレームが開示されている。この電気機器の筐体フレームでは、底板の４隅に支柱を立てるとともに、支柱間を繋ぐように４面に側板を取り付け、さらに上方から天板により蓋をすることによって、箱状の筐体フレームを形成するように構成されている。なお、底板に絞り加工による絞り変形部が形成されることにより、底板の強度が高められるように構成されている。
【先行技術文献】
【特許文献】
【０００７】
【特許文献１】特許第３５３６３８３号公報
【特許文献２】特許第３０３８３５２号公報
【特許文献３】特開２００１−２３６０２２号公報
【特許文献４】特開平１１−１８６７４４号公報
【発明の概要】
【発明が解決しようとする課題】
【０００８】
しかしながら、上記特許文献１に記載のディスクプレーヤでは、前面カバーが板金フレームの前面側に取り付けられるように構成されている一方、板金フレームに対する前面カバーの取り付け方法や取り付け構造の詳細については、何ら開示も示唆もされていない。このため、板金フレーム自体は、絞り加工による凹部によって剛性が高められる一方、前面カバーが取り付けられる前面側において、板金フレームに不意なねじれが生じていたり、意図しない方向に反りが生じていたりする場合には、板金フレームに対して前面カバーを容易に取り付けることができない。その結果、板金フレームに対して前面カバーを取り付ける際の組立性を向上させるのが困難であるという問題点がある。
【０００９】
また、上記特許文献２に記載の記録／再生装置では、シャーシに対するカバー部材の取り付け方法や取り付け構造の詳細については、何ら開示も示唆もされていない。このため、シャーシ自体は、プレス加工によるリブによって強度が高められる一方、カバー部材が取り付けられる領域において、板金製のシャーシに不意なねじれが生じていたり、意図しない方向に反りが生じていたりする場合、カバー部材に対してシャーシを容易に取り付けることができない。その結果、シャーシに対してカバー部材を取り付ける際の組立性を向上させるのが困難であるという問題点がある。
【００１０】
また、上記特許文献３に記載の映像表示装置では、一対の枠体がフレームシャーシおよび表示パネルを前後から挟み込んで保持するように構成されている一方、フレームシャーシに対する枠体の取り付け方法や取り付け構造の詳細については、何ら開示も示唆もされていない。このため、フレームシャーシは、筋状の絞り（凹部）によって剛性が高められる一方、枠体が取り付けられるフレームシャーシの縁部において、薄板状のフレームシャーシに不意なねじれが生じていたり、意図しない方向に反りが生じていたりする場合、フレームシャーシに対して枠体を容易に取り付けることができない。その結果、フレームシャーシに対して枠体を取り付ける際の組立性を向上させるのが困難であるという問題点がある。
【００１１】
また、上記特許文献４に記載の筐体フレームについても、底板に対する支柱や側板の取り付け方法や取り付け構造の詳細については、何ら開示も示唆もされていない。このため、底板は、絞り加工による絞り変形部によって強度が高められる一方、支柱や側板が取り付けられる領域において、板状（平板状）の底板に不意なねじれが生じていたり、意図しない方向に反りが生じていたりする場合、底板に対して支柱や側板を容易に取り付けることができない。その結果、底板に対して支柱や側板を取り付ける際の組立性を向上させるのが困難であるという問題点がある。
【００１２】
この発明は、上記のような課題を解決するためになされたものであり、この発明の１つの目的は、シャーシに対して前面カバーを取り付ける際の組立性を向上させることが可能な電子機器を提供することである。
【課題を解決するための手段および発明の効果】
【００１３】
この発明の一の局面による電子機器は、第１係合部を有する金属製のシャーシと、第１係合部と係合する第２係合部を有する前側カバー部材とを含む筐体を備え、第１係合部に対して第２係合部が係合することにより、シャーシに前側カバー部材が取り付けられるように構成されており、シャーシは、第２係合部に対応する位置に設けられ、第１係合部に対して第２係合部が係合される側の一方表面から一方表面とは反対側の他方表面に向かって窪むとともに前側カバー部材がシャーシに取り付けられる第１方向と略直交する第２方向に沿って延びる第１絞り部をさらに有する。
【００１４】
この発明の一の局面による電子機器では、上記のように、第１係合部を有する金属製のシャーシと、第２係合部を有する前側カバー部材とを含む筐体を備え、第１係合部に対して第２係合部が係合することにより、シャーシに前側カバー部材が取り付けられるように構成されており、シャーシが、第２係合部に対応する位置に設けられ、第１係合部に対して第２係合部が係合される側の一方表面から他方表面に向かって窪むとともに第２方向に沿って延びる第１絞り部を有することによって、第１絞り部により、シャーシにおける前側カバー部材が取り付けられる領域（第２係合部に対応する位置）を、不意なねじれや反り変形などを起こすことなく所望の形状を有した状態に維持することができるので、前側カバー部材をシャーシに取り付ける際、シャーシの第１係合部に対して前側カバー部材の第２係合部を容易に係合させることができる。これにより、シャーシに対して前面カバー部材を取り付ける際の組立性を向上させることができる。また、シャーシが、第２係合部に対応する位置に設けられ、第１係合部に対して第２係合部が係合される側の一方表面から他方表面に向かって窪む第１絞り部を有することによって、第２係合部と、第２係合部に対応する位置におけるシャーシ（第１絞り部）との間に空間を形成することができる。これにより、一旦組み立てられたシャーシから前側カバー部材を取り外すような場合にも、前側カバー部材の第２係合部とシャーシとの間の空間に指などを差し込むことにより、第１係合部と第２係合部との係合状態を容易に解除することができる。
【００１５】
上記一の局面による電子機器において、好ましくは、前側カバー部材の第２係合部は、前側カバー部材のシャーシに対する装着方向に突出する突出部と、突出部に設けられ、第１係合部と係合する係合部分とを含み、シャーシに前側カバー部材が取り付けられた状態において、第１絞り部が突出部に対応する位置に形成されていることにより、突出部とシャーシの一方表面との間に空間が形成されるように構成されている。このように構成すれば、電子機器の保守や修理を行う際、作業者がシャーシから前側カバー部材を取り外して筐体を分解する作業において、前側カバー部材の突出部とシャーシの第１絞り部との間に設けられた空間に指などを差し込むことができる。これにより、空間に差し込まれた指などにより、第１係合部と第２係合部の係合部分との係合状態を容易に解除することができる。
【００１６】
上記前側カバー部材の突出部とシャーシの一方表面との間に空間が形成される構成において、好ましくは、シャーシに前側カバー部材が取り付けられた状態から前側カバー部材を取り外す際、前側カバー部材の突出部がシャーシの一方表面から離れる方向に弾性変形することにより、第１係合部と第２係合部の係合部分との係合状態が解除されるように構成されており、第１絞り部が突出部の前側カバー部材に繋がる根元部とは反対側の先端部に対応する位置に形成されることにより、突出部とシャーシの一方表面との間に空間が形成されるように構成されている。このように構成すれば、作業者は、前側カバー部材の第２係合部の先端部（突出部）とシャーシの第１絞り部との間に設けられた空間に指などを差し込んだ状態で、前側カバー部材の突出部をシャーシの一方表面から離れる方向に容易に弾性変形させることができる。これにより、シャーシから前側カバー部材を取り外す際に、第１係合部と第２係合部の係合部分との係合状態を確実に解除することができる。
【００１７】
上記第１絞り部が前側カバー部材の突出部の先端部に対応する位置に形成される構成において、好ましくは、突出部の先端部がシャーシの一方表面から離れる方向に傾斜して形成されることにより、突出部の先端部とシャーシの一方表面の第１絞り部との間に空間が形成されるように構成されている。このように構成すれば、突出部の先端部がシャーシの一方表面から離れる方向に傾斜する分、突出部の先端部とシャーシの一方表面との間の空間がより広く確保されるので、作業者は、先端部と第１絞り部との間の空間に指などを容易に差し込むことができる。
【００１８】
上記第１絞り部が前側カバー部材の突出部の先端部に対応する位置に形成される構成において、好ましくは、シャーシに前側カバー部材が取り付けられた状態において、前側カバー部材は、平面的に見て、突出部の先端部がシャーシの第１絞り部に重なる位置に配置された状態で取り付けられている。このように構成すれば、第２係合部の突出部の先端部は第１絞り部の直上に配置されるので、第２係合部の先端部と第１絞り部との間の空間に差し込まれた指などにより、前側カバー部材の突出部をシャーシの一方表面から離れる方向により確実に弾性変形させることができる。
【００１９】
上記一の局面による電子機器において、好ましくは、第２係合部は、第２方向に沿って前側カバー部材に複数設けられるとともに、第１係合部は、複数の第２係合部の各々に対応して設けられており、第１絞り部は、複数の第２係合部に対応する位置を通るように第２方向に沿って延びるように形成されている。このように構成すれば、第１係合部および第２係合部が第２方向に沿って複数組設けられている場合であっても、第１絞り部が、複数の第２係合部に対応する位置を通るように形成されているので、第２方向に沿った全ての位置において第１係合部と第２係合部との係合を容易に行うことができる。これにより、第２方向に沿って横長形状を有するような筐体を組み立てる際、シャーシに対して前面カバー部材を確実に取り付けることができる。
【００２０】
この場合、好ましくは、複数の第１係合部は、シャーシの第２方向に沿った一方側の端部領域に形成された一方側係合部と、シャーシの第２方向に沿った他方側の端部領域に形成された他方側係合部とを含み、第１絞り部は、一方側係合部の近傍領域から、他方側係合部の近傍領域までの区間にわたって、第２方向に沿って直線状に延びるように形成されている。このように構成すれば、特にシャーシの第２方向に沿った両端部におけるシャーシのねじれや反り変形を、第２方向に沿って直線状に延びる第１絞り部によって有効に抑制することができる。
【００２１】
上記一の局面による電子機器において、好ましくは、シャーシは板金製であり、第１絞り部は、プレス絞り加工により形成されている。このように構成すれば、第２方向に沿って延びる第１絞り部を、シャーシに容易に形成することができる。
【００２２】
上記一の局面による電子機器において、好ましくは、第１絞り部は、第１方向に沿った前側カバー部材がシャーシに取り付けられる側のシャーシの一方端部側に第２方向に延びるように形成されており、シャーシは、第１方向に沿ったシャーシの一方端部とは反対側の他方端部側に形成され、第１絞り部の延びる第２方向に沿って延びる凹状の第２絞り部をさらに有する。このように構成すれば、シャーシには、第１方向に沿った一方端部側および他方端部側の両側において、第２方向に沿って延びる一対の絞り部（第１絞り部および第２絞り部）が形成されているので、その分、シャーシのねじれや反り変形を確実に抑制することができる。
【００２３】
上記シャーシが第２絞り部をさらに有する構成において、好ましくは、第１絞り部は、凹状に形成されるとともに、凹状の第２絞り部は、シャーシの一方表面から他方表面に向かって窪むように形成されており、第１絞り部の第１方向の幅は、第２絞り部の第１方向の幅よりも小さい。このように構成すれば、シャーシにおける前側カバー部材の第２係合部に対応する位置には、第２絞り部の第１方向の幅よりも小さい幅を有する第１絞り部が形成されるので、その分、第１係合部に絞り加工時の影響を及ぼすことなく、第１絞り部を形成することができる。
【図面の簡単な説明】
【００２４】
【図１】本発明の一実施形態によるディスクプレーヤの全体構成を示した外観斜視図である。
【図２】本発明の一実施形態によるディスクプレーヤを構成する筐体の分解斜視図である。
【図３】本発明の一実施形態によるディスクプレーヤを構成するシャーシの下面図である。
【図４】本発明の一実施形態によるディスクプレーヤを構成するシャーシにフロントカバーが取り付けられた状態を示した下面図である。
【図５】図４の１０００−１０００線に沿った断面図である。
【図６】図５に示したシャーシとフロントカバーとの係合状態からフロントカバーが外される際の状態を示した断面図である。
【図７】本発明の一実施形態によるディスクプレーヤの装置本体の構成を示したブロック図である。
【発明を実施するための形態】
【００２５】
以下、本発明を具体化した実施形態を図面に基づいて説明する。
【００２６】
図１〜図７を参照して、本発明の一実施形態によるディスクプレーヤ１００の構成について説明する。なお、本実施形態では、本発明の電子機器の一例であるディスクプレーヤ１００に本発明を適用した場合について説明する。
【００２７】
本発明の一実施形態によるディスクプレーヤ１００は、図１および図２に示すように、箱状の筐体１０と、筐体１０の内部に収納された装置本体２０（概略形状を破線で示す）とを備えている。また、ディスクプレーヤ１００は、底面（載置面）が、奥行方向（Ｘ方向）よりも幅方向（Ｙ方向）に長くなるように形成されている。
【００２８】
また、図２に示すように、筐体１０は、板金加工された金属製のシャーシ１と、樹脂成形されたフロントカバー２と、金属製（板金製）のトップカバー３と、金属製のリアプレート４とを組み合わせて構成されている。なお、フロントカバー２は、本発明の「前側カバー部材」の一例である。
【００２９】
また、シャーシ１は、図２に示すように、装置本体２０（図１参照）を内部に載置するための底面部１ａと、底面部１ａの長手方向（Ｙ方向）の両端から上方（Ｚ１方向）に曲げ加工された側面部１ｂおよび１ｃと、底面部１ａの奥行方向（Ｘ方向）の後端部（Ｘ１側）において上方に曲げ加工された後面部１ｄとを有している。また、シャーシ１は、約０．５ｍｍ以上約０．８ｍｍ以下の厚みを有している。また、図２および図３に示すように、シャーシ１の底面部１ａのうち、フロントカバー２（図２参照）が取り付けられる側（Ｘ２側）の前端部近傍には、底面部１ａの内表面１ｅから外表面１ｆに向かって下方向（図２のＺ２方向）に突出する複数（本実施形態では３個）の突起部１ｇが設けられている。また、シャーシ１の側面部１ｂおよび１ｃのうち、フロントカバー２が取り付けられる側（Ｘ２側）の前端部近傍には、側面部１ｂ（１ｃ）の内側から外側に向かって突出する突起部１ｈがそれぞれ設けられている。また、突起部１ｇおよび１ｈは、共に板金の切起こし加工により形成されている。なお、内表面１ｅおよび外表面１ｆは、それぞれ、本発明の「他方表面」および「一方表面」の一例である。また、突起部１ｇは、本発明の「第１係合部」の一例である。また、奥行方向（Ｘ方向）および幅方向（Ｙ方向）は、それぞれ、本発明の「第１方向」および「第２方向」に対応している。
【００３０】
ここで、本実施形態では、図３に示すように、シャーシ１には、突起部１ｇよりも所定距離だけ奥行側（Ｘ１側）の領域に、底面部１ａの外表面１ｆから内表面１ｅに向かって凹状（溝状）に窪む絞り部１ｉが形成されている。また、絞り部１ｉは、底面部１ａの幅方向（Ｙ方向）に沿って直線状に延びて形成されている。なお、絞り部１ｉは、本発明の「第１絞り部」の一例である。なお、図３では、絞り部１ｉは、シャーシ１の外表面１ｆが紙面の手前側から奥側に向かって窪むように形成されている。また、図５に示すように、シャーシ１は、絞り部１ｉによって、内表面１ｅおよび外表面１ｆが共に筐体１０の内側（Ｚ１側）に向かって略円弧形状（略Ｕ字形状）を有するように形成されている。
【００３１】
また、本実施形態では、シャーシ１の幅方向に延びる絞り部１ｉは、板金のプレス絞り加工により形成されており、シャーシ１の一方側（Ｙ１側）の端部領域に形成された突起部１ｇの近傍から、シャーシ１の他方側（Ｙ２側）の端部領域に形成された突起部１ｇの近傍までの区間にわたって、Ｙ方向に沿って直線状に延びるように形成されている。ここで、底面部１ａに設けられた３つの突起部１ｇのうち、シャーシ１の一方側（Ｙ１側）の端部領域に形成された突起部１ｇが、本発明の「一方側係合部」に対応するとともに、他方側（Ｙ２側）の端部領域に形成された突起部１ｇが、本発明の「他方側係合部」に対応している。
【００３２】
また、本実施形態では、図３に示すように、シャーシ１には、底面部１ａの絞り部１ｉが形成された側（Ｘ２側）とは反対側（Ｘ１側）の後端部近傍に設けられ、底面部１ａの外表面１ｆから内表面１ｅに向かって凹状（溝状）に窪む絞り部１ｊが形成されている。この絞り部１ｊについても、シャーシ１の外表面１ｆが紙面の手前側から奥側に向かって窪むように形成されている。また、図５に示すように、シャーシ１は、絞り部１ｊによって、内表面１ｅおよび外表面１ｆが共に筐体１０の内側（Ｚ１側）に向かって略円弧形状（略Ｕ字形状）を有するように形成されている。また、絞り部１ｊは、底面部１ａの幅方向（Ｙ方向）に沿って直線状に延びて形成されている。したがって、底面部１ａには、奥行方向（Ｘ方向）の両側（Ｘ１側およびＸ２側）に、共に幅方向（Ｙ方向）に沿って延びる２つの絞り部（絞り部１ｉおよび絞り部１ｊ）が形成されている。なお、絞り部１ｊの幅Ｗ２（Ｘ方向に沿った凹部の開口長さ）は、絞り部１ｉの幅Ｗ１（Ｘ方向に沿った凹部の開口長さ）よりも大きく（Ｗ２＞Ｗ１）形成されている。なお、絞り部１ｊは、本発明の「第２絞り部」の一例である。
【００３３】
また、本実施形態では、図５に示すように、シャーシ１の絞り部１ｊによる内表面１ｅのＺ１方向への突出高さＨ２は、絞り部１ｉによる内表面１ｅのＺ１方向への突出高さＨ１よりも大きく（Ｈ２＞Ｈ１）形成されている。
【００３４】
また、図２に示すように、フロントカバー２は、操作ボタン部２２（図１参照）やディスクトレー扉３１（図１参照）が配置される前面部２ａと、前面部２ａから後方（Ｘ１方向）に向かって延びる外側面部２ｂおよび２ｃとが一体的に形成されている。また、フロントカバー２の高さ方向（Ｚ方向）の下端部（Ｚ２側の端部）に位置する外側面部２ｂには、外側面部２ｂからＸ１方向に薄板状に突出する複数（本実施形態では３個）の突出片２ｄが外側面部２ｂと一体的に形成されている。また、フロントカバー２の幅方向（Ｙ方向）の両端に位置する一対の外側面部２ｃの各々には、各々の外側面部２ｃからＸ１方向に薄板状に突出するリブ２ｅが外側面部２ｃと一体的に形成されている。なお、リブ２ｅの上端（Ｚ１側）は、外側面部２ｃから外側面部２ｂの一部にまで回り込むように形成されており、リブ２ｅの強度が保たれている。また、複数（３個）の突出片２ｄの各々には、略中央部に矩形状（正方形状）の係合穴部２ｆが形成されている。同様に、リブ２ｅには、所定の領域に矩形状（正方形状）の係合穴部２ｇが形成されている。なお、突出片２ｄは、本発明の「第２係合部」および「突出部」の一例であり、係合穴部２ｆは、本発明の「係合部分」の一例である。また、上記した突出片２ｄが外側面部２ｂから突出するＸ１方向は、本発明における「前側カバー部材のシャーシに対する装着方向」に対応している。
【００３５】
また、トップカバー３は、装置本体２０（図１参照）を上方から覆い隠す天面部３ａと、天面部３ａの幅方向（Ｙ方向）の両端から下方（Ｚ２方向）に丸みをおびて曲げ加工された側面部３ｂおよび３ｃとを有している。また、リアプレート４は、Ｙ方向に長い短冊状に形成されており、ディスクプレーヤ１００を他の機器と電気的に接続するための端子（図示せず）が配置される孔部４ａ（４箇所）が設けられている。
【００３６】
したがって、本実施形態では、筐体１０を組み立てる際、図２に示すように、まず、シャーシ１に対してフロントカバー２が前側（Ｘ２側）から奥行方向（Ｘ１方向）に向かって取り付けられるとともに、リアプレート４が後ろ側（Ｘ１側）から奥行方向（Ｘ２方向）に向かってネジ部材（図示せず）により取り付けられた後、内部に装置本体２０（図１参照）が搭載された状態で、最後に、トップカバー３が上方からシャーシ１を覆いながらシャーシ１にネジ部材（図示せず）などにより取り付けられるように構成されている。
【００３７】
ここで、本実施形態では、図２および図４に示すように、シャーシ１にフロントカバー２が取り付けられる際、フロントカバー２の突出片２ｄが、シャーシ１の底面部１ａの外表面１ｆに沿ってＸ１方向にスライドされるとともに、フロントカバー２のリブ２ｅが、シャーシ１の側面部１ｂ（１ｃ）の外表面に沿ってスライドされるように構成されている。そして、フロントカバー２のスライドとともに、３つの突出片２ｄの各々の係合穴部２ｆが、対応する底面部１ａの各々の突起部１ｇに挿入されることにより、突起部１ｇと係合穴部２ｆとが係合されるように構成されている。また、この際、図２に示すように、左右（Ｙ方向）のリブ２ｅの各々の係合穴部２ｇが、対応する側面部１ｂ（１ｃ）の各々の突起部１ｈに挿入されることにより、突起部１ｈと係合穴部２ｇとが係合されるように構成されている。これにより、シャーシ１は、側面部１ｂおよび１ｃが左右（Ｙ方向）からリブ２ｅに挟み込まれるとともに、底面部１ａが下方から突出片２ｄによって支持された状態で、シャーシ１にフロントカバー２が固定されるように構成されている。
【００３８】
この際、シャーシ１にフロントカバー２が取り付けられた状態を奥行方向（Ｘ方向）に沿った断面で見た場合、図５に示すように、シャーシ１の絞り部１ｉは、フロントカバー２の突出片２ｄが配置される位置に対応して形成されている。また、突出片２ｄには、外側面部２ｂに接続される根元部２ｈとは反対側の先端部２ｉが、シャーシ１の絞り部１ｉの略直上に配置されるように構成されている。また、先端部２ｉは、突出片２ｄが根元部２ｈから延びる方向（Ｘ方向）に対してシャーシ１から離れる方向（Ｚ２方向）に傾斜するように形成されている。これにより、突出片２ｄの傾斜した先端部２ｉと、シャーシ１の外表面１ｆ（絞り部１ｉ）との間に、空間Ｓが形成されるように構成されている。また、この状態を平面的に見た場合、突出片２ｄの先端部２ｉが絞り部１ｉに重なる位置に配置されるように構成されている。
【００３９】
また、本実施形態では、樹脂製の突出片２ｄは、シャーシ１の外表面１ｆから離れる方向に弾性変形することが可能に構成されている。これにより、シャーシ１にフロントカバー２が取り付けられた図５の状態からフロントカバー２をＸ２方向に沿って取り外す際、図６に示すように、突出片２ｄが矢印Ｐ方向に弾性変形することにより、突起部１ｇに対する係合穴部２ｆの係合状態が解除されるように構成されている。この際、突出片２ｄの先端部２ｉと、シャーシ１の外表面１ｆ（絞り部１ｉ）との間に空間Ｓが形成されているので、たとえば、作業者が、工具や指を空間Ｓに挿入しながら突出片２ｄを上方（矢印Ｐ方向）に引き上げることにより、突起部１ｇと係合穴部２ｆとの係合状態を容易に解除することが可能であるように構成されている。
【００４０】
また、装置本体２０は、図７に示すように、ＣＤやＤＶＤなどのディスク型記録媒体３０の再生動作を担うディスク駆動部２１と、装置本体２０に対する操作が可能な複数（４つ）の操作ボタンからなる操作ボタン部２２（図１参照）と、装置本体２０の動作状態を表示する表示部２３と、装置本体２０の動作を制御するＣＰＵなどにより構成された制御回路部２４と、装置本体２０に付属するリモコン機器（図示せず）からのリモコン信号（赤外線信号）を受光する赤外線受光部２５（図１参照）と、ディスク型記録媒体３０の再生動作に伴う出力を外部に出力するための外部出力部２６とを備えている。
【００４１】
本実施形態では、上記のように、突起部１ｇを有する金属製のシャーシ１と、係合穴部２ｆを有するフロントカバー２とを含む筐体１０を備え、突起部１ｇに対して係合穴部２ｆが係合することにより、シャーシ１にフロントカバー２が取り付けられるように構成されており、シャーシ１が、突出片２ｄに対応する位置の突起部１ｇの近傍領域に設けられ、突起部１ｇに対して係合穴部２ｆが係合される側の外表面１ｆから内表面１ｅに向かって凹状（溝状）に窪むとともに長手方向（図２のＹ方向）に沿って延びる絞り部１ｉを有することによって、絞り部１ｉにより、シャーシ１におけるフロントカバー２が取り付けられる突起部１ｇの近傍領域（突出片２ｄに対応する領域）を、不意なねじれや反り変形などを起こすことなく所望の形状を有した状態に維持することができるので、フロントカバー２をシャーシ１に取り付ける際、シャーシ１の突起部１ｇに対してフロントカバー２の係合穴部２ｆを容易に係合させることができる。これにより、シャーシ１に対してフロントカバー２を取り付ける際の組立性を向上させることができる。
【００４２】
また、本実施形態では、フロントカバー２の突出片２ｄに係合穴部２ｆが形成されており、シャーシ１にフロントカバー２が取り付けられた状態において、絞り部１ｉが突出片２ｄに対応する位置に形成されることにより、突出片２ｄとシャーシ１の外表面１ｆとの間に空間Ｓが形成されることによって、電子機器の保守や修理を行う際、作業者がシャーシ１からフロントカバー２を取り外して筐体１０を分解する作業において、フロントカバー２の突出片２ｄとシャーシ１の絞り部１ｉとの間に設けられた空間Ｓに、工具や指などを差し込むことができる。これにより、空間Ｓに差し込まれた工具や指により、突起部１ｇと係合穴部２ｆとの係合状態を容易に解除することができる。
【００４３】
また、本実施形態では、シャーシ１にフロントカバー２が取り付けられた状態からフロントカバー２を取り外す際、フロントカバー２の突出片２ｄがシャーシ１の外表面１ｆから離れる方向（図６のＺ２方向）に弾性変形することにより、突起部１ｇと係合穴部２ｆとの係合状態が解除されるように構成されており、絞り部１ｉが突出片２ｄのフロントカバー２に繋がる根元部２ｈとは反対側の先端部２ｉに対応する位置に形成されることにより、突出片２ｄとシャーシ１の外表面１ｆとの間に空間Ｓが形成されることによって、作業者は、フロントカバー２の先端部２ｉ（突出片２ｄ）とシャーシ１の絞り部１ｉとの間に設けられた空間Ｓに工具や指などを差し込んだ状態で、フロントカバー２の突出片２ｄをシャーシ１の外表面１ｆから離れる方向に容易に引き上げることができる。これにより、シャーシ１からフロントカバー２を取り外す際に、突起部１ｇと係合穴部２ｆとの係合状態を確実に解除することができる。
【００４４】
また、本実施形態では、突出片２ｄの先端部２ｉがシャーシ１の外表面１ｆから離れる方向（図５のＺ２方向）に傾斜して形成されることにより、突出片２ｄの先端部２ｉとシャーシ１の外表面１ｆの絞り部１ｉとの間に空間Ｓが形成されることによって、突出片２ｄの先端部２ｉがシャーシ１の外表面１ｆから離れる方向に傾斜する分、突出片２ｄの先端部２ｉとシャーシ１の外表面１ｆとの間の空間Ｓがより広く確保されるので、作業者は、先端部２ｉと絞り部１ｉとの間の空間Ｓに工具や指などを容易に差し込むことができる。
【００４５】
また、本実施形態では、シャーシ１にフロントカバー２が取り付けられた状態において、フロントカバー２は、平面的に見て、突出片２ｄの先端部２ｉがシャーシ１の絞り部１ｉに重なる位置に配置された状態（図４参照）で取り付けられることによって、突出片２ｄの先端部２ｉは絞り部１ｉの直上に配置される（図５参照）ので、突出片２ｄの先端部２ｉと絞り部１ｉとの間の空間Ｓに差し込まれた工具や指などにより、フロントカバー２の突出片２ｄをシャーシ１の外表面１ｆから離れる方向（Ｚ２方向）により確実に引き上げることができる。
【００４６】
また、本実施形態では、絞り部１ｉを、複数の突出片２ｄに対応する位置における各々の突起部１ｇの近傍領域を通るように長手方向（図３のＹ方向）に沿って延びるように形成することによって、突起部１ｇおよび係合穴部２ｆが第２方向に沿って複数組（３組）設けられている場合であっても、絞り部１ｉが、複数の突起部１ｇの各々の近傍領域を通るように形成されているので、長手方向（Ｙ方向）に沿った全ての位置において突起部１ｇと係合穴部２ｆとの係合を容易に行うことができる。これにより、Ｙ方向に沿って横長形状を有するような筐体１０を組み立てる際、シャーシ１に対してフロントカバー２を確実に取り付けることができる。
【００４７】
また、本実施形態では、絞り部１ｉを、シャーシ１の一方側（Ｙ１側）の端部領域に形成された突起部１ｇの近傍領域から、シャーシ１の他方側（Ｙ２側）の端部領域に形成された突起部１ｇの近傍領域までの区間にわたって、長手方向（図３のＹ方向）に沿って直線状に延びるように形成することによって、特にシャーシ１の第２方向に沿った両端部におけるシャーシ１のねじれや反り変形を、第２方向に沿って直線状に延びる絞り部１ｉによって有効に抑制することができる。
【００４８】
また、本実施形態では、絞り部１ｉを板金のプレス絞り加工により形成することによって、長手方向（Ｙ方向）に沿って延びる絞り部１ｉを、シャーシ１に容易に形成することができる。
【００４９】
また、本実施形態では、シャーシ１に、短手方向（図３のＸ方向）に沿ったシャーシ１の一方端部（Ｘ２側）とは反対側の他方端部側（Ｘ１側）に形成され、絞り部１ｉの延びる長手方向に沿って延びる凹状（溝状）の絞り部１ｊを形成することによって、シャーシ１には、短手方向に沿った一方端部側（Ｘ２側）および他方端部側（Ｘ１側）の両側において長手方向に沿って延びる一対の絞り部（絞り部１ｉおよび絞り部１ｊ）が形成されているので、その分、シャーシ１のねじれや反り変形を確実に抑制することができる。
【００５０】
また、本実施形態では、絞り部１ｉのＸ方向の幅Ｗ１を、絞り部１ｊのＸ方向の幅Ｗ２よりも小さく（Ｗ１＜Ｗ２）構成することによって、金属製のシャーシ１におけるフロントカバー２の突出片２ｄに対応する位置（突起部１ｇの近傍領域）には、絞り部１ｊの幅Ｗ２よりも小さい幅Ｗ１を有する絞り部１ｉが形成されるので、その分、突起部１ｇに絞り加工時の影響を及ぼすことなく、絞り部１ｉを形成することができる。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
たとえば、上記実施形態では、シャーシ１の長手方向（Ｙ方向）に沿って延びる絞り部１ｉを底面部１ａに対して凹状（溝状）に窪ませて形成した例について示したが、本発明はこれに限られない。本発明では、突出片２ｄに対応する位置において、シャーシ１の底面部１ａに、内表面１ｅから外表面１ｆへ向かって段状に窪むような絞り加工を施すことにより本発明の「第１絞り部」を設けるようにしてもよい。なお、段状に窪む「第１絞り部」は、１段であってもよいし、複数の階段状であってもよい。この際、内表面１ｅから外表面１ｆへ向かって段状に窪む「第１絞り部」の直上に、フロントカバー２の突出片２ｄの先端部２ｉが対応するように構成するのが好ましい。この変形例のように構成しても、シャーシ１に対するフロントカバー２の取り付け作業、および、シャーシ１からフロントカバー２を取り外す作業の両方を容易に行うことができる。
【００５３】
また、上記実施形態では、シャーシ１に突起部１ｇを設けるとともに、フロントカバー２に係合穴部２ｆを設けることにより、シャーシ１の底面部１ａとフロントカバー２の突出片２ｄとを係合させるように構成した例について示したが、本発明はこれに限られない。本発明では、シャーシ１に係合穴部を設けるとともに、フロントカバー２の突出片２ｄにシャーシ１側に突出する突出部を設けて、シャーシ１の底面部１ａの係合穴部とフロントカバー２の突出片２ｄとを係合させるように構成してもよい。
【００５４】
また、上記実施形態では、シャーシ１に３つの突起部１ｇを設けるとともに、フロントカバー２に３つの突出片２ｄ（係合穴部２ｆ）を設けた例について示したが、本発明はこれに限られない。本発明では、３つ以外の突起部１ｇおよび突出片２ｄ（係合穴部２ｆ）を設けて、シャーシ１とフロントカバー２とを係合させるようにしてもよい。
【００５５】
また、上記実施形態では、樹脂製のフロントカバー２を用いて本発明の「前側カバー部材」を構成した例について示したが、本発明はこれに限られない。たとえば、金属製（板金製）部材を用いて本発明の「前側カバー部材」を構成するとともに、板状の板金の弾性を利用して本発明の「突出部」および「突出部の先端部」を構成するようにしてもよい。
【００５６】
また、上記実施形態では、シャーシ１の絞り部１ｉの幅Ｗ１が絞り部１ｊの幅Ｗ２よりも小さくなるとともに、絞り部１ｉによる外表面１ｆのＺ１方向への突出高さＨ１が絞り部１ｊによる外表面１ｆの突出高さＨ２よりも小さくなるように構成した例について示したが、本発明はこれに限られない。たとえば、絞り部１ｉの幅（突出高さ）と絞り部１ｊの幅（突出高さ）とが略等しくなるように構成してもよい。
【００５７】
また、上記実施形態では、シャーシ１の絞り部１ｉと絞り部１ｊとが、共に外表面１ｆから内表面１ｅに向かって凹状（溝状）に窪むように構成した例について示したが、本発明はこれに限られない。本発明では、絞り部１ｊが、絞り部１ｉの窪む方向とは反対の、内表面１ｅから外表面１ｆに向かって凹状（溝状）に窪むように形成されていてもよい。
【００５８】
また、上記実施形態では、シャーシ１の絞り部１ｉと絞り部１ｊとの断面形状を、共に、筐体１０の内側（図５のＺ１側）に向かって略円弧形状（略Ｕ字形状）を有するように形成した例について示したが、本発明はこれに限られない。本発明では、板金のプレス加工により、絞り部１ｉおよび絞り部１ｊの各々を、対向する略平面状の一対の内側面と、一対の内側面を繋ぐ略平面状の底面とを有する断面が略逆さ台形状の溝状に形成してもよいし、一対の内側面のみからなる略Ｖ字形状の溝状に形成してもよい。
【００５９】
また、上記実施形態では、絞り部１ｉを、突出片２ｄに対応する位置のシャーシ１の一方側（Ｙ１側）の端部領域に形成された突起部１ｇの近傍から、シャーシ１の他方側（Ｙ２側）の端部領域に形成された突起部１ｇの近傍までの区間にわたって、Ｙ方向に沿って直線状に延びるように形成した例について示したが、本発明はこれに限られない。本発明では、絞り部１ｉが少なくとも突出片２ｄに対応する位置の突起部１ｇの近傍領域にのみ形成されていてもよい。すなわち、絞り部１ｉは、突出片２ｄに対応する位置の突起部１ｇの近傍領域にのみ形成されていて、かつ、Ｙ方向に沿って破線状に延びていてもよい。この変形例のように構成しても、シャーシ１に係合するフロントカバー２の突出片２ｄに対応する領域（突起部１ｇの近傍領域）には絞り部１ｉが形成されるので、シャーシ１が変形しにくい分、シャーシ１に対してフロントカバー２を容易に取り付けることができる。
【００６０】
また、上記実施形態では、本発明の「電子機器」の一例としてのディスクプレーヤ１００の筐体１０に本発明を適用した例について示したが、本発明はこれに限られない。すなわち、シャーシを含む筐体を備えた電子機器であれば、ディスクプレーヤ１００以外のたとえば、ＨＤＤレコーダや、ＡＶアンプなどの電子機器や、電子機器同志を接続してＡＶ機器ネットワークを構成するためのセットトップボックス（信号変換装置）などの筐体に、本発明を適用してもよい。
【符号の説明】
【００６１】
１  シャーシ
１ｅ  内表面（他方表面）
１ｆ  外表面（一方表面）
１ｇ  突起部（第１係合部、一方側係合部、他方側係合部）
１ｉ  絞り部（第１絞り部）
１ｊ  絞り部（第２絞り部）
２  フロントカバー（前側カバー部材）
２ｄ  突出片（第２係合部、突出部）
２ｆ  係合穴部（係合部分）
２ｈ  根元部
２ｉ  先端部
１００  ディスクプレーヤ（電子機器）
【図１】
2011155113.tif 000003
【図２】
2011155113.tif 000004
【図３】
2011155113.tif 000005
【図４】
2011155113.tif 000006
【図５】
2011155113.tif 000007
【図６】
2011155113.tif 000008
【図７】
2011155113.tif 000009